【手続補正書】
【提出日】平成26年9月19日(2014.9.19)
【手続補正１】
【補正対象書類名】明細書
【補正対象項目名】発明の名称
【補正方法】変更
【補正の内容】
【発明の名称】画像分類装置、電子アルバム作成装置、及び画像分類方法、プログラム
【手続補正２】
【補正対象書類名】明細書
【補正対象項目名】０００１
【補正方法】変更
【補正の内容】
【０００１】
本発明は、任意の関連性を有する複数の画像からなるグループに分類する技術に関するものである。
【手続補正３】
【補正対象書類名】明細書
【補正対象項目名】０００５
【補正方法】変更
【補正の内容】
【０００５】
本発明は、かかる従来の課題に鑑みてなされたものであり、ユーザが、意図する任意の関連性を有する画像を集めたグループに容易に分類することができる画像分類装置、電子アルバム作成装置、及び画像分類方法、プログラムを提供することを目的とする。
【手続補正４】
【補正対象書類名】明細書
【補正対象項目名】０００６
【補正方法】変更
【補正の内容】
【０００６】
前記課題を解決するため、本発明にあっては、所定のグループに分類すべき画像を選択する際の候補となる複数の候補画像を記憶する記憶手段と、前記複数の候補画像の中から前記所定のグループに分類すべき画像の一部である指定画像を指定する指定手段と、前記指定画像に付随する属性情報を取得する属性取得手段と、前記属性取得手段により取得された属性情報に基づいて画像の選択条件を決定する決定手段と、前記決定手段により決定された選択条件に基づいて、前記複数の候補画像の中から、前記指定画像とともに前記所定のグループに分類すべき他の画像である選択画像を選択する選択手段と、前記指定画像と前記複数の選択画像の両方を前記所定のグループに分類する分類手段とを備えたことを特徴とする。
【手続補正５】
【補正対象書類名】明細書
【補正対象項目名】０００７
【補正方法】変更
【補正の内容】
【０００７】
本発明によれば、ユーザが、意図する任意の関連性を有する画像を集めたグループに容易に分類することが可能となる。
【手続補正６】
【補正対象書類名】特許請求の範囲
【補正対象項目名】全文
【補正方法】変更
【補正の内容】
【特許請求の範囲】
【請求項１】
所定のグループに分類すべき画像を選択する際の候補となる複数の候補画像を記憶する記憶手段と、
前記複数の候補画像の中から前記所定のグループに分類すべき画像の一部である指定画像を指定する指定手段と、
前記指定画像に付随する属性情報を取得する属性取得手段と、
前記属性取得手段により取得された属性情報に基づいて画像の選択条件を決定する決定手段と、
前記決定手段により決定された選択条件に基づいて、前記複数の候補画像の中から、前記指定画像とともに前記所定のグループに分類すべき他の画像である選択画像を選択する選択手段と、
前記指定画像と前記複数の選択画像の両方を前記所定のグループに分類する分類手段と
を備えたことを特徴とする画像分類装置。
【請求項２】
前記指定手段は、少なくとも１つの指定画像を指定し、
前記選択手段は、前記選択画像を複数選択する
ことを特徴とする請求項１記載の画像分類装置。
【請求項３】
前記所定のグループは、電子アルバムに含める画像のグループであり、
前記分類手段により分類された複数の画像からなる電子アルバムを生成するアルバム生成手段を更に備える
ことを特徴とする請求項１または２に記載の画像分類装置。
【請求項４】
前記指定手段は、前記指定画像を複数指定し、
前記属性取得手段は、前記複数の指定画像の各々に付随する属性情報を取得し、
前記決定手段は、前記属性取得手段により取得された複数の属性情報に基づいて画像の選択条件を決定する
ことを特徴とする請求項１乃至３のいずれかに記載の画像分類装置。
【請求項５】
前記決定手段は、前記属性取得手段により取得された複数の属性情報に基づいて、属性情報の範囲を規定する選択条件を決定し、
前記選択手段は、前記複数の候補画像の中から、前記選択条件で規定される範囲内の属性情報が付随された画像を前記選択画像として選択する
ことを特徴とする請求項４記載の画像分類装置。
【請求項６】
前記決定手段は、前記属性取得手段により取得された複数の属性情報のバラツキ度合と平均とに応じた範囲を、前記選択条件における属性情報の範囲として規定する
ことを特徴とする請求項５記載の画像分類装置。
【請求項７】
前記属性取得手段は、前記複数の指定画像の各々から、複数の属性種別の各々に対応する複数の属性情報を取得し、
前記決定手段は、前記複数の属性種別の各々に対応する複数の属性情報に基づいて画像の選択条件を決定する
ことを特徴とする請求項４記載の画像分類装置。
【請求項８】
前記決定手段は、前記複数の属性種別の各々に対応する複数の属性情報に基づいて、属性種別毎の属性情報の範囲を規定する選択条件を決定し、
前記選択手段は、前記複数の候補画像の中から、各々の属性種別の属性情報が、前記選択条件で規定される各々の属性種別の属性情報の範囲内である画像を前記選択画像として選択する
ことを特徴とする請求項７記載の画像分類装置。
【請求項９】
前記決定手段は、前記複数の属性種別の各々に対応する複数の属性情報に基づいて、前記複数の属性種別の中から前記選択条件に含めるべき属性種別を選択し、この選択された属性情報の範囲を規定する選択条件を決定する
ことを特徴とする請求項６記載の画像分類装置。
【請求項１０】
前記決定手段は、属性情報のバラツキ度合が所定以下となる属性種別を前記選択条件に含めるべき属性種別として選択する
ことを特徴とする請求項９記載の画像分類装置。
【請求項１１】
前記指定手段は、ユーザの指示に基づいて前記指定画像を指定し、
前記選択手段は、前記選択条件に基づいて複数の選択画像を自動的に選択する
ことを特徴とする請求項４記載の画像分類装置。
【請求項１２】
前記指定手段は、ユーザの指示に基づいて任意の枚数の画像を前記指定画像として指定し、
前記決定手段は、前記指定画像の枚数に応じて、前記選択条件を決定する決定方法を変化させる
ことを特徴とする請求項１１記載の画像分類装置。
【請求項１３】
前記属性取得手段は、前記複数の指定画像の各々から、複数の属性種別の各々に対応する複数の属性情報を取得し、
前記決定手段は、前記指定画像の枚数が２枚である場合には、前記選択条件に含めるべき属性種別として前記複数の属性種別の全てを選択して前記選択条件を決定し、前記指定画像の枚数が３枚以上である場合に、前記選択条件に含めるべき属性種別として前記複数の属性種別の中から一部の属性種別を選択して前記選択条件を決定する
ことを特徴とする請求項１２記載の画像分類装置。
【請求項１４】
前記決定手段は、前記指定画像の枚数が３枚以上である場合に、前記属性取得手段により取得された複数の属性情報の類似性を属性種別毎に評価し、この評価された属性情報の類似性が最も高い属性種別を前記選択条件に含めるべき属性種別として選択する
ことを特徴とする請求項１３記載の画像分類装置。
【請求項１５】
前記決定手段は、前記指定画像の枚数が２枚である場合には、前記選択条件で規定する属性情報の範囲として、一方の指定画像の属性情報から他方の指定画像の属性情報までの間の所定範囲を設定し、前記指定画像の枚数が３枚以上である場合に、複数の属性情報のバラツキ度合と平均とに応じた範囲を、前記選択条件で規定する属性情報の範囲として設定する
ことを特徴とする請求項１２記載の画像分類装置。
【請求項１６】
前記指定手段は、ユーザが新たな画像を指示する毎に、この指示された画像を前記指定画像に追加していき、
前記指定手段により指定される指定画像の枚数が増える毎に、前記属性取得手段による属性情報の取得処理と、前記決定手段による前記選択条件の決定処理と、前記選択手段による画像の選択処理とを繰り返し実行させる制御手段を更に備えた
ことを特徴とする請求項１３記載の画像分類装置。
【請求項１７】
前記属性取得手段は、前記複数の指定画像の各々から、複数の属性種別の各々に対応する複数の属性情報を取得し、
前記決定手段は、ユーザにより指定される指定画像の枚数が増える毎に、前記選択条件に含まれる属性種別の数を減らしていく
ことを特徴とする請求項１６記載の画像分類装置。
【請求項１８】
前記決定手段は、前記選択手段により選択される画像の枚数が所定の目標枚数以下となるように前記選択条件が規定する属性情報の範囲を設定する
ことを特徴とする請求項５記載の画像分類装置。
【請求項１９】
前記決定手段は、前記選択条件に含めるべき属性種別としてユーザに指定された属性種別について、この属性種別の属性情報の範囲を前記選択手段により選択される画像の枚数が所定枚数以下となる範囲に設定する
ことを特徴とする請求項１８記載の画像分類装置。
【請求項２０】
電子アルバムに含める画像を選択する際の候補となる複数の候補画像を記憶する記憶手段と、
前記複数の候補画像の中から前記電子アルバムに含める画像の一部である指定画像を指定する指定手段と、
前記指定画像に付随する属性情報を取得する属性取得手段と、
前記属性取得手段により取得された属性情報に基づいて画像の選択条件を決定する決定手段と、
前記決定手段により決定された選択条件に基づいて、前記複数の候補画像の中から、前記指定画像とともに前記電子アルバムに含める他の画像である選択画像を複数選択する選択手段と、
前記指定画像と前記複数の選択画像の両方を含む電子アルバムを生成するアルバム生成手段と
を備えたことを特徴とする電子アルバム作成装置。
【請求項２１】
所定のグループに分類すべき画像を選択する際の候補となる複数の候補画像の中から前記所定のグループに分類すべき画像の一部である指定画像を指定する指定処理と、
前記指定画像に付随する属性情報を取得する属性取得処理と、
前記属性取得処理により取得された属性情報に基づいて画像の選択条件を決定する決定処理と、
前記決定処理により決定された選択条件に基づいて、前記複数の候補画像の中から、前記指定画像とともに前記所定のグループに分類すべき他の画像である選択画像を複数選択する選択処理と、
前記指定画像と前記複数の選択画像の両方を前記所定のグループに分類する分類処理と
を含むことを特徴とする画像分類方法。
【請求項２２】
画像分類装置が有するコンピュータを、
所定のグループに分類すべき画像を選択する際の候補となる複数の候補画像を記憶する記憶手段と、
前記複数の候補画像の中から前記所定のグループに分類すべき画像の一部である指定画像を指定する指定手段と、
前記指定画像に付随する属性情報を取得する属性取得手段と、
前記属性取得手段により取得された属性情報に基づいて画像の選択条件を決定する決定手段と、
前記決定手段により決定された選択条件に基づいて、前記複数の候補画像の中から、前記指定画像とともに前記所定のグループに分類すべき他の画像である選択画像を複数選択する選択手段と、
前記指定画像と前記複数の選択画像の両方を前記所定のグループに分類する分類手段と
して機能させることを特徴とするプログラム。